(57)【要約】【課題】  テレビ会議端末の接続呼の切断を行うことなく、他のテレビ会議に参加できることや現在の参加会議の映像及び音声を蓄積できることや蓄積映像またはライブ映像を含むコンテンツ映像及び音声を挿入するようにした多地点テレビ会議システムを得る。【解決手段】  テレビ会議に参加中のテレビ会議端末１００−１から送信されるＤＴＭＦ信号をＤＴＭＦ検出部２０３により検出し、この検出されたＤＴＭＦ検出データに基づき、テレビ会議端末１００−１との間の接続呼を保持した状態でテレビ会議端末１００−１を他のテレビ会議に参加させるように制御部２０４により制御し、この制御部２０４からの通知により、管理部２０６により、他のテレビ会議に参加させたテレビ会議端末１００−１についての課金情報を算出し、課金システム４００にネットワークを介して算出した課金情報を通知するようにした。【選択図】図１
2005328466.tif 000002
【特許請求の範囲】
【請求項１】
テレビ会議に参加中のテレビ会議端末から送信されるＤＴＭＦ信号を検出するＤＴＭＦ検出部、このＤＴＭＦ検出部により検出されたＤＴＭＦ検出データに基づき、上記テレビ会議端末との間の接続呼を保持した状態で上記テレビ会議端末を他のテレビ会議に参加させるように制御する制御部、及びこの制御部により他のテレビ会議に参加させた上記テレビ会議端末についての課金情報を算出し、課金システムに上記課金情報を通知する管理部を備えたことを特徴とする多地点テレビ会議システム。
【請求項２】
テレビ会議に参加中のテレビ会議端末から送信されるＤＴＭＦ信号を検出するＤＴＭＦ検出部、テレビ会議の映像及び音声を蓄積するように構成された蓄積部、上記ＤＴＭＦ検出部により検出されたＤＴＭＦ検出データに基づき、上記テレビ会議端末が参加中のテレビ会議の映像及び音声を蓄積するように上記蓄積部に指示すると共に、上記ＤＴＭＦ検出部により検出されたＤＴＭＦ検出データに基づき、上記蓄積部に蓄積されたテレビ会議の映像及び音声を送信するように上記蓄積部に指示する制御部、上記テレビ会議端末との間の接続呼を保持した状態で、上記蓄積部から送信されたテレビ会議の映像及び音声を上記テレビ会議端末の現在のテレビ会議の映像及び音声中に挿入するメディア処理部、及び上記テレビ会議端末についての課金情報を算出し、課金システムに上記課金情報を通知する管理部を備えたことを特徴とする多地点テレビ会議システム。
【請求項３】
テレビ会議に参加中のテレビ会議端末から送信されるＤＴＭＦ信号を検出するＤＴＭＦ検出部、このＤＴＭＦ検出部により検出されたＤＴＭＦ検出データに基づき、コンテンツ映像及び音声を取得し、上記テレビ会議端末のテレビ会議の映像及び音声に上記取得したコンテンツ映像及び音声を挿入するように指示する制御部、上記テレビ会議端末との間の接続呼を保持した状態で、上記制御部の指示に基づき、上記テレビ会議端末のテレビ会議の映像及び音声に上記コンテンツ映像及び音声を挿入するメディア処理部、及びこのメディア処理部により上記コンテンツ映像及び音声が挿入された上記テレビ会議端末についての課金情報を算出し、課金システムに上記課金情報を通知する管理部を備えたことを特徴とする多地点テレビ会議システム。
【発明の詳細な説明】
【技術分野】
【０００１】
この発明は、端末からのＤＴＭＦ（Ｄｉａｌ  Ｔｏｎｅ  Ｍｕｌｔｉ  Ｆｒｅｑｕｅｎｃｙ）信号に基づき、テレビ会議に関する付加サービスを提供する多地点テレビ会議システムに関するものである。
【背景技術】
【０００２】
従来の多地点テレビ会議システムにおいては、テレビ会議端末からＤＴＭＦ信号を送信し、多地点テレビ会議システム側の制御により、参加者がその会議に接続しているテレビ会議端末の映像と音声を選択できるようにしているが、ここで映像と音声を制御／選択できるのは、参加者がテレビ会議端末を利用して複数拠点間で実施している１つのテレビ会議内であることが一般的である。
例えば、特許文献１には、多地点間テレビ会議システムにおいて、参加者がＤＴＭＦ信号を多地点テレビ会議システムに送信することにより、参加者の意図により会議参加者の映像信号と音声信号とを選択できるようにしたものが示されている。
【０００３】
【特許文献１】特開平８−４６７０３号公報（第３〜４頁、図１）
【発明の開示】
【発明が解決しようとする課題】
【０００４】
特許文献１などの従来の多地点テレビ会議システムは、テレビ会議端末からのＤＴＭＦ信号に基づき、多地点テレビ会議システムにより制御される映像信号と音声信号は、ある１つの会議内における会議参加者の映像と音声に限られる。つまり、会議参加者が会議中に他の会議に参加する場合、或いは、予め蓄積された映像と音声や、ライブカメラ等のコンテンツ（リアル映像と音声）を選択・挿入しようとする場合は、一旦、多地点テレビ会議システムに接続しているテレビ会議端末の接続呼を切断した上で、再度、接続しなければならないという問題があった。
【０００５】
この発明は、上記のような課題を解決するためになされたものであり、テレビ会議端末の接続呼の切断を行うことなく、他のテレビ会議に参加できることや、蓄積映像及び音声またはコンテンツ映像及び音声を挿入するようにした多地点テレビ会議システムを得ることを目的とする。
【課題を解決するための手段】
【０００６】
この発明に係わる多地点テレビ会議システムにおいては、テレビ会議に参加中のテレビ会議端末から送信されるＤＴＭＦ信号を検出するＤＴＭＦ検出部、このＤＴＭＦ検出部により検出されたＤＴＭＦ検出データに基づき、テレビ会議端末との間の接続呼を保持した状態でテレビ会議端末を他のテレビ会議に参加させるように制御する制御部、及びこの制御部により他のテレビ会議に参加させたテレビ会議端末についての課金情報を算出し、課金システムに課金情報を通知する管理部を備えたものである。
【発明の効果】
【０００７】
この発明は、以上説明したように、テレビ会議に参加中のテレビ会議端末から送信されるＤＴＭＦ信号を検出するＤＴＭＦ検出部、このＤＴＭＦ検出部により検出されたＤＴＭＦ検出データに基づき、テレビ会議端末との間の接続呼を保持した状態でテレビ会議端末を他のテレビ会議に参加させるように制御する制御部、及びこの制御部により他のテレビ会議に参加させたテレビ会議端末についての課金情報を算出し、課金システムに課金情報を通知する管理部を備えたので、テレビ会議端末は、接続呼を切断することなく他のテレビ会議に参加できるため、回線の有効活用と会議利用料金の削減を図ることができる。
【発明を実施するための最良の形態】
【０００８】
実施の形態１．
以下、この発明の実施の形態１を図について説明する。
図１は、この発明の実施の形態１による多地点テレビ会議システムを示す構成図である。
図１において、テレビ会議端末１００−１〜ｎ及び課金システム４００は、それぞれネットワークを介して多地点テレビ会議システム２００に接続されている。この課金システム４００は、多地点テレビ会議システム２００内に含まれていても構わない。
この多地点テレビ会議システム２００は、ネットワーク接続部２０１と、メディア処理部２０２と、ＤＴＭＦ検出部２０３と、制御部２０４と、管理部２０６とにより構成されている。
【０００９】
次に、テレビ会議端末１００が、現在参加している会議から他の会議へ参加する場合の動作について説明する。
図１において、複数のテレビ会議端末１００−１〜ｎは、ネットワークを通じて多地点テレビ会議システム２００と接続され、テレビ会議を行う。テレビ会議端末１００−１は、その会議中にＤＴＭＦ信号を多地点テレビ会議システム２００に送信して、テレビ会議に関する付加サービスを要求することができる。
多地点テレビ会議システム２００は、テレビ会議端末１００−１から送信されたＤＴＭＦ信号をネットワーク接続部２０１、メディア処理部２０２を通じてＤＴＭＦ検出部２０３にて受信する。ＤＴＭＦ検出部２０３は、制御部２０４へ受信した内容を通知する。
【００１０】
制御部２０４は、ＤＴＭＦ検出部２０３から通知された内容に基づき、テレビ会議に関する付加サービスを提供する。制御部２０４は、ＤＴＭＦ信号を送信してきたテレビ会議端末１００−１が現在参加している会議と、ＤＴＭＦ信号により要求された他の会議を確認し、テレビ会議端末１００−１について、現在参加している会議からの退席処理と新たな他の会議への参加処理を行うように、メディア処理部２０２へ指示する。メディア処理部２０２は、新たに参加する会議の映像信号と音声信号をネットワーク接続部２０１を通じてテレビ会議端末１００−１に送信する。この際、ネットワーク処理部２０１は、接続呼を保持したままとなる。
制御部２０４は、ＤＴＭＦ信号を送信してきたテレビ会議端末１００−１から他の会議への参加要求があり、実行したことを管理部２０６へ通知する。管理部２０６は、制御部２０４から通知された内容（例えば、サービス要求端末番号、サービス要求内容、参加会議番号等）に基づき、課金情報を生成し、ネットワークを通じて課金システム４００へ課金情報を送信する。この場合、課金情報の生成は、リアルタイム処理であってもバッチ処理であっても構わない。課金システム４００は、管理部２０６からの課金情報に基づき、料金計算し、該当テレビ会議端末１００−１の利用者に料金を徴収する。
【００１１】
実施の形態１によれば、このような構成にすることにより、テレビ会議端末１００−１は、現在参加している会議への接続呼を切断することなく、他の会議に参加することが可能になる。
また、サービス提供者は、テレビ会議に関する付加サービスを提供することができ、サービス料金の徴収を実現することが可能になる。
【００１２】
実施の形態２．
図２は、この発明の実施の形態２による多地点テレビ会議システムを示す構成図である。
図２において、１００、２００〜２０４、２０６、４００は図１におけるものと同一のものである。図２では、多地点テレビ会議システム２００に蓄積部２０５が設けられている。
【００１３】
次に、実施の形態２のテレビ会議の映像と音声を蓄積し、また、過去に蓄積した会議映像と音声を現在の会議に挿入する場合の動作について説明する。
図２において、複数のテレビ会議端末１００−１〜ｎは、ネットワークを通じて多地点テレビ会議システム２００と接続され、テレビ会議を行う。テレビ会議端末１００−１は、その会議中にＤＴＭＦ信号を多地点テレビ会議システム２００に送信して、テレビ会議に関する付加サービスを要求することができる。
多地点テレビ会議システム２００は、テレビ会議端末１００−１から送信されたＤＴＭＦ信号をネットワーク接続部２０１、メディア処理部２０２を通じてＤＴＭＦ検出部２０３にて受信する。ＤＴＭＦ検出部２０３は、制御部２０４へ受信した内容を通知する。
【００１４】
制御部２０４は、ＤＴＭＦ検出部２０３から通知された内容に基づき、テレビ会議に関する付加サービスを提供する。制御部２０４は、ＤＴＭＦ信号を送信してきたテレビ会議端末１００−１が現在参加している会議を確認し、テレビ会議端末１００−１との間の接続呼を保持した状態で、蓄積部２０５に対して、該当テレビ会議の映像信号と音声信号を蓄積するように指示する。蓄積部２０５は、制御部２０４から指示のあった該当テレビ会議の映像信号と音声信号を蓄積する。
制御部２０４は、ＤＴＭＦ信号を送信してきたテレビ会議端末１００−１からテレビ会議の映像と音声の蓄積要求があり、実行したことを、管理部２０６へ通知する。管理部２０６は、制御部２０４から通知された内容（例えば、サービス要求端末番号、サービス要求内容、蓄積開始・終了時刻等）に基づき、課金情報を生成し、ネットワークを通じて課金システム４００へ課金情報を送信する。この場合、課金情報の生成は、リアルタイム処理であってもバッチ処理であっても構わない。課金システム４００は、管理部２０６からの課金情報に基づき、料金計算し、テレビ会議端末１００−１の利用者に料金を徴収する。
また、制御部２０４は、テレビ会議端末１００−１から送信されたＤＴＭＦ信号に基づき、テレビ会議端末１００−１が現在参加している会議と蓄積部２０５にて過去に蓄積した会議を確認し、テレビ会議端末１００−１との間の接続呼を保持した状態で、蓄積部２０５にテレビ会議端末１００−１からＤＴＭＦ信号で要求のあった蓄積映像と音声を、メディア処理部２０２へ送信する指示をする。メディア処理部２０２は、蓄積部２０５から送信された映像信号と音声信号を、テレビ会議端末１００−１が現在参加している会議映像と音声の中に挿入する。この場合も、ネットワーク接続部２０１は、テレビ会議端末１００−１との間の接続呼を保持したままとする。
【００１５】
実施の形態２によれば、このような構成にすることにより、テレビ会議端末１００−１は、会議参加中に必要となった場合に、その会議の映像と音声を蓄積することができる。
また、テレビ会議端末１００−１は、現在参加している会議への接続呼を切断することなく、過去に蓄積した会議映像と音声を挿入することができる。
さらに、サービス提供者は、テレビ会議に関する付加サービスを提供することができ、サービス料金の徴収を実現することが可能になる。
【００１６】
実施の形態３．
図３は、この発明の実施の形態３による多地点テレビ会議システムを示す構成図である。
図３において、１００、２００〜２０６、４００は図２におけるものと同一のものである。図３では、ライブカメラ等のリアル映像と音声のコンテンツ３００が、ネットワークを介して多地点テレビ会議システム２００に接続されている。図３では、コンテンツ３００および課金システム４００は、多地点テレビ会議システム２００内に含まれていても構わない。
【００１７】
次に、テレビ会議の映像と音声にライブカメラ等のコンテンツ映像と音声を挿入する場合の動作について説明する。
図３において、複数のテレビ会議端末１００−１〜ｎは、ネットワークを通じて多地点テレビ会議システム２００と接続され、テレビ会議を行う。テレビ会議端末１００−１は、その会議中にＤＴＭＦ信号を多地点テレビ会議システム２００に送信して、テレビ会議に関する付加サービスを要求することができる。
多地点テレビ会議システム２００は、テレビ会議端末１００−１から送信されたＤＴＭＦ信号をネットワーク接続部２０１、メディア処理部２０２を通じてＤＴＭＦ検出部２０３にて受信する。ＤＴＭＦ検出部２０３は、制御部２０４へ受信した内容を通知する。
【００１８】
制御部２０４は、ＤＴＭＦ検出部２０３から通知された内容に基づき、テレビ会議に関する付加サービスを提供する。制御部２０４は、ＤＴＭＦ信号を送信してきたテレビ会議端末１００−１が現在参加している会議を確認し、テレビ会議端末１００−１からＤＴＭＦ信号で要求のあったコンテンツ３００の映像信号と音声信号をネットワークを通じてメディア処理部２０２へ送信する指示をする。メディア処理部２０２は、コンテンツ３００からの映像信号と音声信号を、テレビ会議端末１００−１が現在参加している会議映像と音声として処理する。この場合も、テレビ会議端末１００−１は、現在参加している会議への接続呼を切断することなく、他のテレビ会議端末１００−２〜ｎ以外のコンテンツ映像と音声を挿入することができる。
制御部２０４は、ＤＴＭＦ信号を送信してきたテレビ会議端末１００−１からコンテンツ３００の映像と音声の表示要求があり、実行したことを、管理部２０６へ通知する。管理部２０６は、制御部２０４から通知された内容（例えば、サービス要求端末番号、サービス要求内容、挿入コンテンツ種別等）に基づき、課金情報を生成し、ネットワークを通じて課金システム４００へ課金情報を送信する。
この場合、課金情報の生成は、リアルタイム処理であってもバッチ処理であっても構わない。課金システム４００は、管理部２０６からの課金情報に基づき、料金計算し、テレビ会議端末１００−１の利用者に料金を徴収する。
【００１９】
実施の形態３によれば、このような構成にすることにより、テレビ会議端末１００−１は、現在参加している会議への接続呼を切断することなく、他のテレビ会議端末１００−２〜ｎ以外のコンテンツ映像と音声を挿入することができる。
また、サービス提供者は、テレビ会議に関する付加サービスを提供することができ、サービス料金の徴収を実現することが可能になる。
【図面の簡単な説明】
【００２０】
【図１】この発明の実施の形態１による多地点テレビ会議システムを示す構成図である。
【図２】この発明の実施の形態２による多地点テレビ会議システムを示す構成図である。
【図３】この発明の実施の形態３による多地点テレビ会議システムを示す構成図である。
【符号の説明】
【００２１】
１００  テレビ会議端末
２００  多地点テレビ会議システム
２０１  ネットワーク接続部
２０２  メディア処理部
２０３  ＤＴＭＦ検出部
２０４  制御部
２０５  蓄積部
２０６  管理部
３００  コンテンツ
４００  課金システム
【図１】
2005328466.tif 000003
【図２】
2005328466.tif 000004
【図３】
2005328466.tif 000005